(57)【要約】【課題】コンテンツデータの送信元装置で撮影日等が正確に記録されていない場合でもコンテンツデータの送信先装置で簡単に正確な撮影日等を検索することができる情報処理装置を提供する。【解決手段】情報処理装置１０２は、コンテンツデータの送信元装置１０１のシステムクロック値と送信先である自装置１０２のシステムクロック値とのオフセット値を算出する算出手段と、送信元装置１０１から送信されたコンテンツデータのヘッダに算出手段により算出されたオフセット値を記録する記録手段と、を備える。【選択図】図１
2009141476.tif 000002
【特許請求の範囲】
【請求項１】
コンテンツデータの送信先装置のシステムクロック値と送信元である自装置のシステムクロック値とのオフセット値を算出する算出手段と、前記送信先装置に送信する前記コンテンツデータのヘッダに前記算出手段により算出された前記オフセット値を記録する記録手段と、を備えることを特徴とする情報処理装置。
【請求項２】
コンテンツデータの送信元装置のシステムクロック値と送信先である自装置のシステムクロック値とのオフセット値を算出する算出手段と、前記送信元装置から送信された前記コンテンツデータのヘッダに前記算出手段により算出された前記オフセット値を記録する記録手段と、を備えることを特徴とする情報処理装置。
【請求項３】
前記コンテンツデータのヘッダに記録されている日時情報に対して前記オフセット値を加減算する加減算手段を備えることを特徴とする請求項２に記載の情報処理装置。
【請求項４】
前記オフセット値を加減算するかしないかを選択する選択手段を備えることを特徴とする請求項２又は３に記載の情報処理装置。
【請求項５】
コンテンツデータの送信先装置のシステムクロック値と送信元装置のシステムクロック値とのオフセット値を算出する算出ステップと、前記コンテンツデータのヘッダに前記算出ステップで算出された前記オフセット値を記録する記録ステップと、を備えることを特徴とする情報処理方法。
【請求項６】
前記コンテンツデータのヘッダに記録されている日時情報に対して前記オフセット値を加減算する加減算ステップを備えることを特徴とする請求項５に記載の情報処理方法。
【請求項７】
前記オフセット値を加減算するかしないかを選択する選択ステップを備えることを特徴とする請求項５又は６に記載の情報処理方法。
【発明の詳細な説明】
【技術分野】
【０００１】
本発明は、例えば、ビデオカメラやデジタルテレビ等の情報処理装置、及びビデオカメラやデジタルテレビ等に適用可能な情報処理方法に関する。
【背景技術】
【０００２】
ビデオカメラからデジタルインターフェースを介して入力した動画や静止画を撮影日時でソートして表示し、ユーザが選択した動画や静止画を再生するデジタルテレビ（以下、ＤＴＶという）がある。
【０００３】
図４は、ビデオカメラ４０１とＤＴＶ４０２とがＵＳＢインターフェース４０３を介して接続された状態を示す図である。
【０００４】
図４において、ユーザによりＤＴＶ４０２のボタン４０４が操作されると、ビデオカメラ４０１からＵＳＢインターフェース４０３を介してコンテンツデータがＤＴＶ４０２の内部記憶手段（例えばハードディスク等）に取り込まれて格納される。コンテンツデータは、例えば、「．ｍｐｇ」という拡張子のついた動画ファイル４０５や、「．ｊｐｇ」という拡張子のついた静止画ファイル４０６である。
【０００５】
図５は、ＤＴＶ４０２の内部記憶手段に格納された動画や静止画ファイルをソートしてＤＴＶ４０２の画面５０１に表示する例を示す図である。
【０００６】
図５に示すように、ＤＴＶ４０２の画面５０１は、ファイルリストを表示しており、欄５０２には、撮影日が表示され、欄５０３には、ファイル名が表示されている。図５の例では、動画や静止画の撮影日時でファイルがソートされている。
【０００７】
ユーザは、例えば１０月５日に撮影した運動会の映像を見たい場合は、ＤＴＶ４０２のボタン４０４や不図示のリモコン等を操作して１０月５日の撮影日を指定する。
【０００８】
ここで、ＤＴＶ４０２の画面５０１には、撮影日が１０月５日近辺の映像ファイルリストが表示されると共に、１０月５日の前後の日に撮影された映像ファイルリストが表示される。
【０００９】
また、ＤＴＶ４０２の画面５０１には、欄５０２の１０月５日の位置にカーソル５０４が表示されると共に、１０月５日のファイルの文字色やバックグラウンドカラーが他のファイルと異なる色５０５に設定される。これにより、ユーザがどのファイルを選択しているのかが容易に判るようになっている。
【００１０】
そして、ユーザは、目的のファイルが見つかったら、ＤＴＶ４０２のボタン４０４を操作してカーソル５０４を移動させ、目的のファイルを選択して再生表示させる。
【００１１】
図６は、ビデオカメラ４０１の構成例を示すブロック図である。
【００１２】
ビデオカメラ４０１は、図６に示すように、映像を撮影するための撮影手段６０１、レコーダ６０２、画像データを記録するメモリ６０８、記録時や再生時に画像データの圧縮伸張を行う画像処理手段６０９を備える。また、ビデオカメラ４０１は、画像データを外部機器に送信するためのデジタルインターフェース６０４、メイン電源６０３、ＣＰＵ６０５、システムクロック６０６、サブ電源６０７を備える。
【００１３】
システムクロック６０６に接続されるサブ電源６０７は、メイン電源とは異なり、電力の少ない所謂ボタン電池等で構成される。これにより、メイン電源６０３が切れている時でもサブ電源６０７は切れないようになっている。
【００１４】
そして、ユーザが撮影操作を行うと、ＣＰＵ６０５は、撮影手段６０１とレコーダ６０２とを制御して、撮影手段６０１で撮影された動画や静止画の画像データを画像処理手段６０９でエンコードした後、レコーダ６０２によってメモリ６０８に記録する。また、ＣＰＵ６０６は、システムクロック６０６から得られた時刻情報を撮影日時情報として画像データのファイルヘッダに記録する。
【００１５】
ユーザがＤＴＶ４０２への画像データ転送の操作を行うと、ＣＰＵ６０５は、レコーダ６０２とデジタルインターフェース６０４とを制御して、メモリ６０８に記録された動画や静止画の画像データをデジタルインターフェース６０４からＤＴＶ４０２に送信する。
【００１６】
図７に、ＤＴＶ４０２の構成例を示す。
【００１７】
ＤＴＶ４０２は、図７に示すように、チューナ７０１、画像データを保存するためのハードディスク７０２、ディスプレイ７０３、画像データの圧縮伸張を行う画像処理手段７０４、ＣＰＵ７０８、システムの時刻を管理するクロック手段７０９を備える。また、ＤＴＶ４０２は、電源７１０、外部機器とデータのやり取りを行うＵＳＢインターフェース７０５、ＩＥＥＥ１３９４インターフェース７０６、ＨＤＭＩインターフェース７０７を備える。
【００１８】
そして、ユーザがビデオカメラ４０１からの画像データの転送を指示すると、ＣＰＵ７０８は、例えばＵＳＢインターフェース７０５から画像データを入力してハードディスク７０２に画像データファイルとして格納する。
【００１９】
また、ユーザが前述したような撮影日時での一覧表示を選択した場合は、ＣＰＵ７０８は、ハードディスク７０２に格納された画像データファイルを読み出す。そして、ＣＰＵ７０８は、各ファイルのヘッダに記録されている撮影日時情報を基に並び替えたデータ一覧をディスプレイ７０３に表示する（特許文献１）。
【特許文献１】特開２００２−４４５９６号公報
【発明の開示】
【発明が解決しようとする課題】
【００２０】
しかし、上記従来技術では、ビデオカメラ４０１側で画像データファイルの撮影日時が正確に記録されていない場合には、ＤＴＶ４０２での撮影日時によるファイルの検索で目的のファイルが見つからなくなる。
【００２１】
撮影日時が正確に記録されない例として、ビデオカメラ４０１のシステムクロックの未設定がある。即ち、図６において、サブ電源６０７のボタン電池を入れてからシステムクロック６０６の設定を忘れたりする場合がある。
【００２２】
この設定を忘れた状態でユーザが撮影すると、実際は１０月５日の運動会なのにファイルに設定される撮影日時は３月３日だったなどという事が起こる。これは、サブ電源６０７のボタン電池を入れたときに、日付が１月１日にリセットされ、そこから経過した日数分、つまり３ヶ月と３日目だけ日付が進むからである。
【００２３】
そこで、本発明は、コンテンツデータの送信元装置で撮影日等が正確に記録されていない場合でもコンテンツデータの送信先装置で簡単に正確な撮影日等を検索することができる情報処理装置及び情報処理方法を提供することを目的とする。
【課題を解決するための手段】
【００２４】
上記目的を達成するために、本発明の情報処理装置は、コンテンツデータの送信先装置のシステムクロック値と送信元である自装置のシステムクロック値とのオフセット値を算出する算出手段と、前記送信先装置に送信する前記コンテンツデータのヘッダに前記算出手段により算出された前記オフセット値を記録する記録手段と、を備えることを特徴とする。
【００２５】
本発明の情報処理装置は、コンテンツデータの送信元装置のシステムクロック値と送信先である自装置のシステムクロック値とのオフセット値を算出する算出手段と、前記送信元装置から送信された前記コンテンツデータのヘッダに前記算出手段により算出された前記オフセット値を記録する記録手段と、を備えることを特徴とする。
【００２６】
本発明の情報処理方法は、コンテンツデータの送信先装置のシステムクロック値と送信元装置のシステムクロック値とのオフセット値を算出する算出ステップと、前記コンテンツデータのヘッダに前記算出ステップで算出された前記オフセット値を記録する記録ステップと、を備えることを特徴とする。
【発明の効果】
【００２７】
本発明によれば、コンテンツデータの送信元装置で撮影日等が正確に記録されていない場合でも、コンテンツデータの送信先装置で簡単に正確な撮影日等を検索することができる。
【発明を実施するための最良の形態】
【００２８】
以下、本発明の実施の形態の一例を図を参照して説明する。
【００２９】
図１は、本発明の実施の形態の一例であるＤＴＶ（情報処理装置）を説明するための説明図である。なお、本実施形態で説明するビデオカメラ１０１及びＤＴＶ１０２の基本的構成は、図６及び図７で説明したビデオカメラ４０１及びＤＴＶ４０２と略同様であるので、その説明を省略する。
【００３０】
図１に示すように、本実施形態のＤＴＶ１０２には、ＵＳＢインターフェース１０３を介してビデオカメラ１０１が接続されている。ここで、本実施形態では、ビデオカメラ１０１を送信元装置とし、ＤＴＶ１０２を送信先装置でかつ自装置とする。
【００３１】
ＤＴＶ１０２のＣＰＵ２０３（図２参照）は、ビデオカメラ１０１の接続を検出すると、ビデオカメラ１０１のシステムクロック値１０４を読み込む。次に、ＤＴＶ１０２のＣＰＵ（算出手段）２０３は、システムクロック値１０４と自身のシステムクロックの値１０５との差分であるオフセット値１０６を算出する。
【００３２】
また、ＤＴＶ１０２のＣＰＵ（記録手段）２０３は、ビデオカメラ１０１から送信された画像データファイル１０７を読み込むとき、画像データファイル１０７のヘッダ１０８に前記算出したオフセット値１０６を記録する。そして、ＣＰＵ２０３は、ヘッダ１０８にオフセット値１０６を記録した画像データファイル１０７をハードディスク２０１（図２参照）に格納する。画像データファイル１０７のヘッダ１０８には、既にビデオカメラ１０１で撮影日時情報が記録されているので、ヘッダ１０８には、撮影日時情報とオフセット値１０６の２つの情報が記録されることになる。
【００３３】
なお、ビデオカメラ１０１のシステムクロック値１０４よりＤＴＶ１０２のシステムクロック値１０５が大きい場合は、オフセット値１０６はプラスとなる。また、ビデオカメラ１０１のシステムクロック値１０４よりＤＴＶ１０２のシステムクロック値１０５が小さい場合は、オフセット値１０６はマイナスとなる。
【００３４】
次に、図２を参照して、ＤＴＶ１０２がハードディスク２０１に格納されている画像データファイル１０７を撮影日時情報でソート表示する動作を説明する。
【００３５】
まず、ＣＰＵ２０３は、ハードディスク２０１から読み出した画像データファイル１０７のヘッダ１０８を抽出する。そして、ＣＰＵ２０３は、ヘッダ１０８に記録されている日時情報でソート処理を行い、逐次ソート処理メモリ２０５に並べ替えたヘッダ情報を格納していく。このとき、ヘッダ１０８にオフセット値１０６が記録されている場合は、ＣＰＵ２０３は、スイッチ２０７をＰ１からＰ２側に切り替える。
【００３６】
スイッチ２０７がＰ２側に切り替えられると、ソート処理メモリ２０５にヘッダ情報を格納する前にオフセット加減算手段２０６により撮影日時情報に対してオフセット値１０６を加減算し、タグ付加手段２０８によりオフセットがあることを示すタグを付加する。
【００３７】
なお、ソート動作は、オフセット値１０６を加減算した撮影日時情報に対して行われるが、ユーザへの表示はオフセット値１０６の加減算前の撮影日情報で行う。
【００３８】
図３は、ＤＴＶ１０２の画面３０１の表示例を示す図である。
【００３９】
図３に示すように、ＤＴＶ１０２の画面３０１は、ファイルリストを表示しており、欄３０２には、撮影日が表示され、欄３０３には、ファイル名が表示されている。欄３０２に表示される撮影日は、オフセット値１０６を加減算する前のオリジナルの撮影日、すなわち３月３日が表示される。
【００４０】
ユーザは、例えば１０月５日に撮影した運動会の映像を見たい場合は、ＤＴＶ１０２の不図示のボタンやリモコン等を操作して１０月５日の撮影日を指定する。
【００４１】
ここで、ＤＴＶ１０２のＣＰＵ２０３は、オフセット値１０６を加減算してソートした結果の撮影日が１０月５日近辺の画像ファイルリストを画面３０１に表示する。ＤＴＶ１０２の画面３０１には、指定された撮影日１０月５日の前後に撮影されたファイルリストも表示される。
【００４２】
また、オフセット値１０６を加減算した撮影日が１０月５日（表示は３月３日）の位置にカーソル３０４が表示されると共に、１０月５日のファイルの文字色やバックグラウンドカラーが他のファイルと異なる色３０５に設定される。これにより、ユーザがどのファイルを選択しているのかが容易に判るようになっている。
【００４３】
さらに、オフセット値１０６が加減算されていることを判りやすくする為、タグを付加したファイルにマーク３０６を表示する。ユーザは、マーク３０６により撮影日情報にオフセット値１０６が加減算されていることを容易に判別することができ、オリジナルの撮影日情報（３月３日）も確認することができる。
【００４４】
ユーザは、目的のファイルが見つかったら、ＤＴＶ１０２の不図示のボタンを操作してカーソル３０４を移動させ、目的のファイルを選択して再生表示させる。なお、ソート動作にオフセット値１０６を反映させるかどうか、即ち、オフセット値１０６を加減算するかどうかは、不図示の選択スイッチ（選択手段）等を設けて、ユーザが選択できるようにしてもよい。
【００４５】
以上説明したように、本実施形態では、コンテンツデータの送信元装置であるビデオカメラ１０１側で撮影日時が正確に記録されていない場合でも、コンテンツデータの送信先装置であるＤＴＶ１０２側で簡単に正確な撮影日等を検索することができる。
【００４６】
なお、本発明は、上記実施の形態に例示したものに限定されるものではなく、本発明の要旨を逸脱しない範囲において適宜変更可能である。
【００４７】
例えば、上記実施の形態では、システムクロック値のオフセット値の算出をＤＴＶ１０２側で行なった場合を例示したが、ビデオカメラ１０１側でシステムクロック値のオフセット値の算出とヘッダへの記録を行なうようにしてもよい。
【図面の簡単な説明】
【００４８】
【図１】本発明の実施の形態の一例であるＤＴＶ（情報処理装置）を説明するための説明図である。
【図２】ＤＴＶがハードディスクに格納されている画像データファイルを撮影日時情報でソート表示する動作を説明するためのブロック図である。
【図３】ＤＴＶの画面の表示例を示す図である。
【図４】従来例を説明するための図であり、ビデオカメラとＤＴＶとがＵＳＢインターフェースを介して接続された状態を示す図である。
【図５】ＤＴＶの内部記憶手段に格納された動画や静止画ファイルをソートしてＤＴＶの画面に表示する例を示す図である。
【図６】ビデオカメラの構成例を示すブロック図である。
【図７】ＤＴＶの構成例を示すブロック図である。
【符号の説明】
【００４９】
１０１  ビデオカメラ
１０２  ＤＴＶ
１０３  インターフェース
１０４  システムクロック値
１０５  システムクロック値
１０６  オフセット値
１０７  画像データファイル
１０８  ヘッダ
２０１  ハードディスク
２０３  ＣＰＵ
２０６  オフセット加減算手段
２０８  タグ付加手段
【図１】
2009141476.tif 000003
【図２】
2009141476.tif 000004
【図３】
2009141476.tif 000005
【図４】
2009141476.tif 000006
【図５】
2009141476.tif 000007
【図６】
2009141476.tif 000008
【図７】
2009141476.tif 000009